(57)【特許請求の範囲】
【請求項１】
伸縮素材若しくは伸縮加工を施した素材からなる帯状体αの両端に、
非伸縮素材若しくは非伸縮加工を施した素材からなる帯状体β若しくは該帯状体βを前記帯状体αより伸縮率の低い伸縮素材若しくは同伸縮加工を施した帯状体βのいずれか一を延設し、
骨盤を形成する腸骨の上前腸骨棘の概略下位置の体側を巻回緊締する、長さ調整自在のベルトであって、
巻着時、上後腸骨棘と下後腸骨棘との間の領域部分に概略当接する部位に、互いに間隔をおいて配置された左右一対の押圧部材を前記帯状体αの裏面に設けるとともに、
該ベルト両端に係止具を設け、
前記押圧部材を、人体への押圧方向が矢状面に対し３０°〜６０°の範囲内の角度になるように、人体に接する面が左右押圧部材の中央へ向って低くなる傾斜を有するように形成した
ことを特徴とする仙腸関節包内運動矯正ベルト。
【請求項２】
前記押圧部材を、前記帯状体αの裏面に押圧補助部材を介して設け、
前記帯状体αは伸縮素材若しくは伸縮加工を施した素材、又は、該帯状体αのうち、前記押圧補助部材と接する領域を該伸縮素材若しくは伸縮加工を施した素材より伸縮率の低い伸縮素材若しくは伸縮加工を施した素材のいずれかよりなる
ことを特徴とする請求項１に記載の仙腸関節包内運動矯正ベルト。
【請求項３】
前記押圧部材を、前記押圧補助部材と一体に成型した
ことを特徴とする請求項２に記載の仙腸関節包内運動矯正ベルト。
【請求項４】
前記押圧補助部材と該帯状体αとを留め具により一点で結合したことを特徴とし、
ベルト増締時に、該留め具を支点として着用者の体運動に同調し、押圧部材の上後腸骨棘と下後腸骨棘との間の領域部分への押圧力が一定に作用する
ことを特徴とする請求項２又は請求項３に記載の仙腸関節包内運動矯正ベルト。
【発明の詳細な説明】
【技術分野】
【０００１】
仙腸関節の包内運動を矯正し、正常な包内運動を促進するベルトである。詳しくは、上後腸骨棘と下後腸骨棘の間の領域へ一定の押圧力をかけることで、仙腸関節に直接作用する結果、仙腸関節に正常な嵌合状態をもたらし、骨盤を正常な位置に誘導することで脊柱の土台となる仙腸関節を安定させ、脊柱に理想的なＳ字彎曲を形成させるベルトを提供するものである。
【０００２】
更に、着用中、仙腸関節の動きに同調し、該運動を阻害することなく常に押圧力を働きかけることに加え、仙腸関節における関節面の角度を考慮した、効果的な方向に押圧するベルトを提供するものである。
【背景技術】
【０００３】
従来、腰部や臀部周囲に着用する骨盤矯正具の類は多数考案されている。その中で、伸縮率の小さい帯状弾性ベルトを骨盤の腸骨上部の突部にバックル等の係止具で装着し、骨盤を締め付けることで骨盤の歪みを正常な状態に戻し、その状態を維持しながら骨盤の周りの筋肉をバランス良く鍛えることにより、骨盤の歪が元の歪んだ状態に戻ることを防ぐ調整具が提案されている（特許文献１参照。）。
【特許文献１】特開２００５−３０４６４５号公報
【発明の開示】
【発明が解決しようとする課題】
【０００４】
特許文献１に係る発明は、帯状弾性ベルトを骨盤の腸骨上部にバックル等の係止具で装着し、該帯状弾性ベルトにて骨盤を均一に締め付け、骨盤を正常な位置に戻すことを目的とする。そして、使用者に、その正常な状態を維持しながら骨盤を支えている筋肉、即ち、腹筋、背筋、大腿四頭筋、ハムストリング筋、臀筋、内転筋等を鍛え、骨盤が元の歪んだ状態に戻らないよう提唱するものである。
【０００５】
骨盤を構成する仙骨と左右の腸骨は仙腸関節で結ばれているが、この仙腸関節は、解剖学上、不動関節と呼ばれているところ実際には数ｍｍの単位で関節包内運動することが確認されている。そして、強力な靱帯に保護されているものの関節面は不平胆な耳状面でズレやすい。
一般に、人体の体重の６０％は上半身の重みであるとされ、この上半身の重みは骨盤において横方向の力に変換され、常時外側に広げられる力を受けている。そして、この力に拮抗しているのは骨盤周囲の靭帯と筋肉の力であり、前記仙腸関節包内運動はこの２つの力のバランスにより成り立っている。しかし、運動不足や生活習慣、加齢その他の要因によりこの２つの力のバランスが崩れると仙腸関節面に嵌合異常をもたらし、骨盤の立体的変位、つまり骨盤のゆがみを引き起こす。これにより骨盤周囲の筋肉や靭帯組織等に異常な負荷を与え、痛みやしびれの原因となるほか、脊椎の不適切なＳ字彎曲を形成する原因ともなることから、骨盤を矯正するに当たっては、この仙腸関節への直接的、且つ、効果的な作用が望ましい。
【０００６】
しかし、特許文献１に記載の発明は、帯状弾性ベルトを人体腰回りに沿って単に巻き付けるに留まり、仙腸関節のズレを矯正することを目的とせず、体幹軸方向へ均一に圧力をかけるという従来発想の域を出ていないことから、仙腸関節への直接的、且つ効果的な作用という点で、改良の余地がある。
【０００７】
本発明は、上記課題に鑑みて、単に均一に腰周りを締め付けるのではなく、仙腸関節のズレを矯正することを目的とし、仙腸関節への直接的、且つ効果的な作用を得る構成を具備した仙腸関節包内運動矯正ベルトを提供することを課題とする。
【課題を解決するための手段】
【０００８】
上記の課題を解決するために、本発明は次のように構成した。即ち、請求項１に記載の仙腸関節包内運動矯正ベルトは、伸縮素材若しくは伸縮加工を施した素材からなる帯状体αの両端に、非伸縮素材若しくは非伸縮加工を施した素材からなる帯状体β若しくは該帯状体βを前記帯状体αより伸縮率の低い伸縮素材若しくは同伸縮加工を施した帯状体βのいずれか一を延設し、骨盤を形成する腸骨の上前腸骨棘の概略下位置の体側を巻回緊締する、長さ調整自在のベルトであって、巻着時、上後腸骨棘と下後腸骨棘との間の領域部分に概略当接する部位に、互いに間隔をおいて配置された左右一対の押圧部材を前記帯状体αの裏面に設けるとともに、該ベルト両端に係止具を設け、前記押圧部材を、人体への押圧方向が矢状面に対し３０°〜６０°の範囲内の角度になるように、人体に接する面が左右押圧部材の中央へ向って低くなる傾斜を有するように形成したことを特徴とした。
【０００９】
請求項２に記載の仙腸関節包内運動矯正ベルトは、請求項１に記載の構成において、前記押圧部材を、前記帯状体αの裏面に押圧補助部材を介して設け、前記帯状体αは伸縮素材若しくは伸縮加工を施した素材、又は、該帯状体αのうち、前記押圧補助部材と接する領域を該伸縮素材若しくは伸縮加工を施した素材より伸縮率の低い伸縮素材若しくは伸縮加工を施した素材のいずれかよりなることを特徴とした。
【００１０】
請求項３に記載の仙腸関節包内運動矯正ベルトは、請求項２に記載の構成において、前記押圧部材を、前記押圧補助部材と一体に成型したことを特徴とした。
【００１１】
請求項４に記載の仙腸関節包内運動矯正ベルトは、請求項２又は請求項３に記載の構成において、前記押圧補助部材と該帯状体αとを留め具により一点で結合したことを特徴とし、ベルト増締時に、該留め具を支点として着用者の体運動に同調し、押圧部材の上後腸骨棘と下後腸骨棘との間の領域部分への押圧力が一定に作用することを特徴とした。
【発明の効果】
【００１３】
請求項１に記載の仙腸関節包内運動矯正ベルトによれば、該ベルト両端の係止具の留め輪（８）に通した帯状体βの両端Ｘ、ＹをＰ１方向に増締めすることにより、伸縮性を有する帯状体α（２）のＰ２方向への収縮作用が働く（図８）。この結果、左右の押圧部材（４）により上後腸骨棘と下後腸骨棘との間の領域部分への前記収縮作用に伴う押圧力、即ち、仙腸関節の歪みを矯正する力が働き、脊柱と骨盤の接合部の安定をもたらし、脊椎の理想的なＳ字彎曲を形成することとなる。この場合、押圧方向は、矢状面Ｑに対して４５°、効果的な許容角度として３０°から６０°の範囲内の角度が望ましいところ、押圧部材（４）に設けた傾斜により、該所望の角度での押圧が容易に可能となる。
【００１４】
図９に基づいて本発明の効果を詳述すると、脊柱は二本足で立つための構造として矢状面で彎曲を形成しており、頚椎と腰椎は前彎、胸椎と仙骨は後彎となっている。図９右図は正常な彎曲（ｇ１、ｆ１、ｅ１、ｄ１）を形成していることを示す図である。      
一方、図９左図に示すように、仙腸関節の歪みを原因とする仙骨後彎（ｇ２）に異常が生じると、過度の腰椎前彎（ｆ２）、過度の胸椎後彎（ｅ２）、過度の頚椎前彎（ｄ２）をもたらすが、これら過度の彎曲は土台となる仙腸関節の歪みが大きな要因となっている。
本発明に係る仙腸関節包内運動矯正ベルトによれば、仙腸関節へ直接的、且つ効果的に矯正力を働かせることができるため、上記過度の彎曲を正常な彎曲形成へと導くことが可能となる。
【００１５】
また、帯状体βを、帯状体αより伸縮率の低い素材、若しくは該所望の伸縮率を得るべく加工した素材に変更した場合には、着用者の増締行為が容易となり、使用便宜の向上にも資する。
【００１６】
請求項２に記載の仙腸関節包内運動矯正ベルトによれば、押圧部材（４）の磨耗劣化に伴う該部材の取替えの際には、ベルト単位でなく、押圧部材及び押圧補助部材単位でメンテナンスを行うことが可能となる。
更に、帯状体αのうち押圧補助部材と接する領域を、該帯状体αのその他の領域の素材である伸縮素材若しくは伸縮加工を施した素材よりも、伸縮率の低い伸縮素材若しくは伸縮加工を施した素材とすることで、押圧力がより高いものとなる。
【００１７】
請求項３に記載の仙腸関節包内運動矯正ベルトによれば、押圧部材と押圧補助部材とが一体的に成型されていることから、個々に独立して構成した場合と比較して製造工程が少なくなるためベルト本体の製造コストを下げることが可能となる。また、該一体部材のみをメンテナンス部材として大量生産が可能となることから該部材を低コストで提供することが可能となる。
【００１８】
請求項４に記載の仙腸関節包内運動矯正ベルトによれば、押圧補助部材をベルトα（２）上に一点で結合する構成としたことから、該結合部が支点となり、着用中、体運動に伴う仙腸関節の動きに同調し、体運動を妨げることなく、押圧部材による一定の押圧力が働くこととなる。
【００１９】
請求項５に記載の仙腸関節包内運動矯正ベルトの使用方法によれば、押圧部材の人体へかかる力の方向が矢状面に対し３０°〜６０°、前額面に対し３０°〜８０°の範囲内となることから、仙腸関節における関節面の運動角を考慮した、効果的な押圧力が得られることとなる。
【発明を実施するための最良の形態】
【００２０】
以下、本発明の仙腸関節包内運動矯正ベルトを実現する最良の形態を、図面に基づいて説明する。
【実施例１】
【００２１】
本発明の第一の実施例について、図１乃至図９に基づき説明する。図１は本発明に係る仙腸関節包内運動矯正ベルトの裏面、即ち着用者の体表面に接する面の構成を示す図、図２は本発明に係る仙腸関節包内運動矯正ベルトの表面構成を示す図、図３は本発明に係る仙腸関節包内運動矯正ベルトの押圧部材及び押圧補助部材の構成を示す部分拡大図、図４は係止具を示す部分拡大図、図５は本発明に係る仙腸関節包内運動矯正ベルトの使用状態を示す図、図６は矢状面に対する押圧力の角度を示す図、図７は前額面に対する押圧力の角度を示す図、図８は本発明に係る仙腸関節包内運動矯正ベルトの作用を示す図、図９は本発明に係る仙腸関節包内運動矯正ベルトの効果を示す図である。
【００２２】
図中、１は仙腸関節包内運動矯正ベルト（以下、矯正ベルトと称す。）、２は帯状体α、３は帯状体β、４は押圧部材、５は押圧補助部材、６は係止具雄、７は係止具雌、８は留め輪、９は軸、１０は留め具、ａは上前腸骨棘、ｂは上後腸骨棘、ｃは下後腸骨棘、ｄは頚椎前彎、ｅは胸椎後彎、ｆは腰椎前彎、ｇは仙骨後彎、Ｐは力の向き、Ｑは矢状面、Ｒは前額面を示す。
【００２３】
矯正ベルト（１）は、伸縮性素材からなる帯状体α（２）の両端に、非伸縮性素材からなる帯状体β（３）を延設し、巻着時、上後腸骨棘と下後腸骨棘との間の領域部分に概略当接する部位に押圧部材（４）を設け、該矯正ベルト（１）の両端に係止具（６）（７）を設けてなる。係る構成は図１に示した矯正ベルト（１）から押圧補助部材（５）を省いた構成となる。
【００２４】
本実施例において、係止具（６）（７）を除いた部分の矯正ベルト（１）の全長はＬサイズとして６３ｃｍであるが、その他Ｓ、Ｍ、ＬＬなど各種サイズに合わせて変更可能である。また、幅は３ｃｍ〜４ｃｍの範囲が好ましい。尚、いずれも上記サイズに限られない。
【００２５】
伸縮素材からなる帯状体α（２）は、天然ゴム、合成ゴム、或いは天然ゴムと合成ゴムの混合ゴムを使用したゴム糸と、天然繊維、化学繊維、或いは天然繊維と化学繊維の混合繊維を使用した繊維糸とにより、前記幅の２〜３倍の幅で帯状に織成したベルト基礎地を得る。
そして、天然ゴム、合成ゴム、或いは混合ゴムのいずれかを板状に加工したもの（以下、板状弾性体と称す。）を前記ベルト基礎地の中に内包して縫製する。
【００２６】
帯状体α（２）に延設した帯状体β（３）は、ポリプロピレン、ナイロン、ポリエステル、ビニロン、アクリルなどの化学繊維を使用した繊維糸により帯状に織成してなり、その製造過程において伸縮性を排除する。前記素材中、ポリプロピレンが、軽量性、堅牢性、耐薬品性の点で好ましい。このようにして得た帯状体β（３）を帯状体α（２）の両端に夫々縫合してなる。
【００２７】
一方、上記帯状体β（３）を、帯状体α（２）よりも伸縮率の低い伸縮性を持たせることも考えられる。
その場合、帯状体β（３）の長さ分だけ延長して前述のベルト基礎地を織成し、帯状体β（３）に相当する部分に、帯状体α（２）に内包した板状弾性体よりも伸縮率の低い加工を施した板状弾性体を内包して縫製する。
【００２８】
押圧部材（４）は、弾性を有する合成樹脂等を凸形成加工してなり、平面視、長楕円形状若しくは面取りした矩形状で、３ｃｍの間隔を設けて左右一対として配置する。本実施例におけるその大きさは長手方向に５ｃｍ、長手方向に直交する方向に２ｃｍ、高さ１ｃｍとし、更に、図３（ａ）に示すように、押圧部材（４）の体に接する面は左右押圧部材の中央へ向って低くなる傾斜を有する。尚、上記各サイズはこれに限られるものではなく、±０．５ｃｍ〜１．０ｃｍの範囲内で変更可能である。
図５（ａ）に示すように、該押圧部材（４）を帯状体α（２）の所定の位置、即ち、巻着時、上後腸骨棘（ｂ）と下後腸骨棘（ｃ）との間の領域部分に概略当接する部位に直接設けてなる。この場合、帯状体α（２）の表面側からビスや留め具等（図示せず。）で固定すれば良い。
【００２９】
該押圧部材（４）の素材は、一定の弾性を有し、且つ、矯正ベルト（１）の増締により生じる体背部への押圧力に耐えうるものであれば、その他シリコン樹脂等を公知の方法で成形若しくは成型したものであっても良く、弾性素材を重ね合わせたものを素材としたものでも良い。
【００３０】
本実施例の変形例として、図３（ｂ）に示すように、押圧部材（４）を押圧補助部材（５）を介して前記帯状体α（２）の裏面に設けた構成としても良い。
この場合、押圧補助部材（５）は発泡品やシリコンゴムその他の合成樹脂若しくは金属を素材とする薄板状体であって、長手方向に１８ｃｍ〜２０ｃｍ、幅は帯状体α（２）と同程度若しくはそれ以下とする。尚、該サイズは、矯正ベルト（１）本体の大きさに合わせて適宜変更可能である。該押圧部材（４）は該押圧補助部材（５）とビスや留め具等（図示せず。）、或いは接着剤等で固定し、一体となった押圧部材（４）及び押圧補助部材（５）を、例えば、帯状体α（２）の所定の位置に設けた収納部（図示せず。）に収める構成とする。
【００３１】
また、更なる変形例として、押圧部材（４）と押圧補助部材（５）を発泡品やシリコンゴムその他の合成樹脂等により一体的に成型することとしても良い（図示せず。）。
上記押圧補助部材（５）を設けた帯状体α（２）部分は、前述ベルト基礎地の中に前述板状弾性体を二重に内包して縫製する。
【００３２】
係止具雄（６）は、係止具雌（７）と嵌合構造をなし（図４）、留め輪（８）部分と連続して若しくは一体的に形成される。尚、該嵌合構造は係止効果が得られれば、図示した構造に限られない。
【００３３】
図５乃至図８に基づき使用方法を説明する。図５（ａ）は人体の背面を示した図、図５（ｂ）は人体の正面を示した図である。
２つの押圧部材（４）を、上後腸骨棘（ｂ）と下後腸骨棘（ｃ）との間の領域部分に概略当接させ（図５（ａ））、帯状体α（２）が、骨盤を形成する腸骨の上前腸骨棘（ａ）の概略下位置の体側を通る位置（図５（ａ））、つまり、矯正ベルト（１）を体前下方向に巻回し、両端係止具（６）（７）を体前で結合させて仮止めする。
【００３４】
その後、該矯正ベルト（１）の両端の係止具と連続して若しくは一体的に形成された留め輪（９）に巻き通した帯状体β（３）の端部Ｘ、Ｙを両手でＰ１方向に引っ張って増締めし、帯状体α（２）の伸縮作用に伴う所望の強さに該矯正ベルト（１）を緊締する（図８）。
【００３５】
押圧方向は、矢状面Ｑに対して４５°、効果的な許容角度として３０°から６０°の範囲内の角度（図６）が望ましいところ、押圧部材（４）に設けた傾斜により、該所望の角度での押圧が容易に可能となる。
また、押圧方向は、前額面Ｒに対して３０°から８０°の範囲内の角度（図７）が望ましいところ、矯正ベルト（１）を体前において下位置に巻着させることにより（図９右図参照）、該所望の角度での押圧を可能とする。
ここで、矢状面とは体を左右対称に切る面及びこれに平行な面を、前額面とは体を前後に切る面で、矢状面に垂直な面をいう。
【００３６】
本実施例における帯状体β（３）の表面上には、平織、綾織等により帯状に織成した際に形成された細かな凹凸があり、該凹凸が増締めの際に、図４に示すように、留め輪（８）との間で、又は軸（９）部分に設けた鋭角端面（９１）との間で、適度な摩擦を生み緊締状態を維持することが可能となる。
【００３７】
矯正ベルト（１）をこのように装着することで、押圧部材（４）による押圧力が仙腸関節へ直接、且つ、効果的に作用し、仙腸関節を安定させる結果、背骨の適切なＳ字彎曲を形成させることが可能となる（図９右図）。
【００３８】
尚、矯正ベルト（１）の留め輪（８）に設けた補助帯（３１）及び係止具（６１）（７１）は、矯正ベルト（１）を外す際に結合して用いられる。即ち、係止具（６）（７）の接合を解除すると、帯状体α（２）の伸縮力により勢いよく矯正ベルト（１）の両端が外れるため、手や腕をけがするおそれがあるが、この補助帯（３１）及び係止具（６１）（７１）を結合させておくことで、完全に矯正ベルト（１）の両端が外れることがなくなることから、このようなおそれを回避することが可能となる。
【実施例２】
【００３９】
本発明の第二の実施例について、図３（ｃ）に基づき説明する。
図中、４０は合成樹脂等を素材とする左右の押圧部材（４）を含む押圧部材片であり、公知の型抜き加工等により押圧部材（４）内部に空間を確保する。４１は、押圧補助部材（５）上に固定され、前記空間に収納される押圧パッドである。その他の構成は前記実施例と同様である。
【００４０】
本実施例によれば、押圧パッドを別構成として押圧部材内に設けたことから、予め様々な硬さの押圧パッドを用意しておくことができ、矯正ベルト（１）を構成する最小限の部品を交換することで、利用者個人の症状や好みに合わせた硬さに調整し、変更することが可能となる。また、該押圧パッド（４１）は、押圧部材（４）に内包され、直接身体に接触しないことから押圧部材全体としての長寿命化にもつながる。
【実施例３】
【００４１】
本発明の第三の実施例について、図３（ｄ）に基づき説明する。
図中、１０は帯状体α（２）と、押圧部材（４）を設けた押圧補助部材（５）とを結合する留め具である。また、帯状体α（２）のうち、該押圧補助部材（５）と接する領域（ｗ）は非伸縮加工を施したことを表す。
【００４２】
本実施例に係る矯正ベルトによれば、該留め具（１０）を支点として着用者の体運動に伴う仙腸関節の動きに同調することから、押圧部材（４）の上後腸骨棘と下後腸骨棘との間の領域部分への押圧力が一定に作用することとなり、より一層の矯正効果が得られることとなる。
【実施例４】
【００４３】
本発明の第四の実施例について、図３、図７、図１０に基づき説明する。図１０は押圧部材のバリエーションを示す図である。このように、押圧部材（４）の形状は前述した形状に限られず、本実施例に係る形状、配置とすることができる。
【産業上の利用可能性】
【００４９】
仙腸関節の安定は、脊柱と骨盤の接合部の安定をもたらし、脊柱の理想的なＳ字彎曲を形成することから、通常の生活においては勿論のこと、スポーツの分野においても、本願発明に係る仙腸関節包内運動矯正ベルトの利用価値は極めて高いものである。
【図面の簡単な説明】
【００５０】
【図１】本発明に係る仙腸関節包内運動矯正ベルトの裏面構成を示す図
【図２】本発明に係る仙腸関節包内運動矯正ベルトの表面構成を示す図
【図３】押圧部材及び押圧補助部材の構成を示す部分拡大図
【図４】係止具を示す部分拡大図
【図５】本発明に係る仙腸関節包内運動矯正ベルトの使用状態を示す図
【図６】矢状面に対する押圧力の角度を示す図
【図７】前額面に対する押圧力の角度を示す図
【図８】本発明に係る仙腸関節包内運動矯正ベルトの作用を示す図
【図９】本発明に係る仙腸関節包内運動矯正ベルトの効果を示す図
【符号の説明】
【００５１】
１  仙腸関節包内運動矯正ベルト
２  帯状体α
３  帯状体β
４  押圧部材
４１  押圧パッド
５  押圧補助部材
６  係止具
７  係止具
８  留め輪
９  軸
１０  留め具
ａ  上前腸骨棘
ｂ  上後腸骨棘
ｃ  下後腸骨棘
ｄ  頚椎前彎
ｅ  胸椎後彎
ｆ  腰椎前彎
ｇ  仙骨後彎
Ｐ  力の方向き
Ｑ  矢状面
Ｒ  前額面
【図１】
0005079446.tif 000002
【図２】
0005079446.tif 000003
【図３】
0005079446.tif 000004
【図４】
0005079446.tif 000005
【図５】
0005079446.tif 000006
【図６】
0005079446.tif 000007
【図７】
0005079446.tif 000008
【図８】
0005079446.tif 000009
【図９】
0005079446.tif 000010